(57)【要約】      （修正有）【課題】半導体デバイスのヒートシンクにおいて材料コストを低減し、放熱効率を向上する放熱ヒートシンクを提供する。【解決手段】ヒートシンク放熱体を片状体２で構成し、その片状体の両側縁を折り曲げて折片２１を形成し、複数の片状体を重ねて配置した時に所定の間隔を設ける。その片状体に複数の開口２２１を穿設し、該開口の一側辺に突出した掛合部２２１１を設け、該開口を打ち抜いて折り返して該掛合部が嵌り込んで掛合する掛合開口２２１３を具えた延長掛合片２２１２を形成する。上記折片が隣接する片状体の間隔を一定に保ち、隣接する片状体の延長掛合片の掛合開口に掛合部を嵌合して片状片を相互に固定し、冷却空気流は、これらの片状片の間隙と掛合開口を流通して冷却する。【選択図】図７
0003141216.tif 000002
【実用新案登録請求の範囲】
【請求項１】
電子デバイス冷却用放熱ヒートシンクにおいて、
片状体からなり、その片状体の両側に相対する折辺を形成すると共にその片状体には少なくとも一以上の開口を穿設し、
該開口の一側縁に突出した掛合部を形成し、その掛合部の両側から掛合開口を設けた延長掛合片を延長して形成し、
複数重畳された各片状体相互の間隔を上記折辺を隣接する片状体に当接することによって保ち、
後方の片状体の延長掛合片の掛合開口にその前方の片状体の掛合部を嵌合して掛合することによって複数の片状体を組み立てることを特徴とする電子デバイス冷却用放熱ヒートシンク。
【請求項２】
前記延長掛合片は、外型が台形もしくは三角形もしくは半円形であることを特徴とする請求項１記載の電子デバイス冷却用放熱ヒートシンク。
【請求項３】
前記開口は、外型が台形もしくは半円形もしくは三角形であることを特徴とする請求項１記載の電子デバイス冷却用放熱ヒートシンク。
【考案の詳細な説明】
【技術分野】
【０００１】
本考案は、電子デバイスの冷却用ヒートシンクに関するもので、放熱效果を具えた放熱ヒートシンクを提供し、冷却効率がよく、組み立て加工の生産性に優れた放熱ヒートシンクに係る。
【背景技術】
【０００２】
科学・技術が進歩するにつれて、電子機器の普及が益々進行し、それに伴いこれらの発熱に対する冷却のため放熱器の機能に対する要求も同じく高まっている。公知の放熱器は、放熱効果を向上するために重畳式放熱ヒートシンクユニットが大幅に採用されるなど高性能の放熱ヒートシンクの研究開発も進んでいる。高機能を具えた放熱器は、今日産業界の最も重要な研究開発のひとつと言える。
【０００３】
図１は、公知の放熱ヒートシンクの立体組立図である。図に示すとおり、放熱ヒートシンクユニット１は、複数片の放熱ヒートシンク１１が互いに重畳されて構成される。放熱ヒートシンク１１両側辺には折辺１１１が相互に対応して設置され、その折辺１１１縁には掛合端１１１２と掛合部１１１１が形成されていて、放熱ヒートシンク１１が別の放熱ヒートシンク１１と重畳して組立られた時、前側の放熱ヒートシンク１１に設置された折辺１１１が後側の放熱ヒートシンク１１の平面１１２と接触して所定の間隔を隔てて配置され、また、前側放熱ヒートシンク１１の掛合端１１１２が後側放熱ヒートシンク１１の掛合部１１１１に掛合して両者を結合する。
このような公知の放熱ヒートシンクは、これらの組み立て工程などで正確な組み立てが困難で不良品が発生するなど廃棄品もしくは不良品を出しやすく、加工ステップ全体を複雑にしてコストを上げている。その他放熱ヒートシンク１１は、当初位置あわせして組立てた後、掛合端１１１２及び掛合部１１１１が該折辺１１１上で掛合されるため、これらの作業に伴う外力の影響の多少により、変形が発生しやすく、組み立て後の放熱ヒートシンク１１は、当初組立時のような完全もしくは脱落しにくく設置するのは困難である。
【特許文献１】特公平７−７９１４３号公報
【考案の開示】
【考案が解決しようとする課題】
【０００４】
解決しようとする問題点は、以下の点である。
不良品による廃棄品が多い
相互に掛合する時、安定しない
生産コストが高く、時間がかかる
掛合部は外力により外れやすい。
依って、上述の各欠点を改善する「放熱ヒートシンク」を提供する。
【課題を解決するための手段】
【０００５】
本考案にヒートシンクは、片状体からなり、その片状体の両側には対応して折辺を形成し、その片状体上には少なくとも１以上の開口を穿設して放熱時の気流を通過させる。この開口の一側縁に掛合部が突出して形成され、その掛合部の両側には延長掛合片が延長形成される。片状体が複数重畳され、後側の片状体の延長掛合片がその前の片状体の掛合部を掛合し、複数の片状体を安定して掛合することを最も主要な特徴とする。
【考案の効果】
【０００６】
本考案の放熱ヒートシンクは、材料を減らして、コストを下げ、放熱効率を高めるという利点がある。
【考案を実施するための最良の形態】
【０００７】
大幅に材料を節約し、廃棄量が多いためにコストを浪費する公知技術の欠点を改善する放熱ヒートシンクを提供することを本考案の主な目的とする。
【０００８】
加工がスピーディで、加工時間を低減し、コストを下げる放熱ヒートシンクを提供することを本考案の次の目的とする。
【０００９】
上述の目的のため、本考案のヒートシンクは、片状体からなり、その片状体両側辺で折辺を形成し、且つその片状体上には少なくとも１以上の開口を穿設する。その開口一側縁に突出して掛合部が形成され、その掛合部両側から延長掛合片が延長して形成される。その片状体と別の片状体の間は上記の折辺によって一定間隔を保って配置され、片状体の延長掛合片の掛合開口と別の片状体の掛合部を相互に掛合して配置して片状体を相互に掛合することによって、放熱ヒートシンクユニットを構成する。更に、延長掛合片と掛合部は折辺の内側空間で掛合するため、組立後外力の作用に依ってヒートシンク同士がずれるなどして分離することがない。別にヒートシンク上に設置した開口は放熱の気流をこの開口から各片状体の間を通って流れるため良好な放熱効果を得る。
【実施例１】
【００１０】
本考案の上述の目的及びその構造、機能上の特性を図と共に実施例を元に説明する。
【００１１】
本考案は、放熱ヒートシンクを提供する。図に示すのは本考案実施例で、図２、図３、図５、図６、図７、図８に示すとおり、放熱ヒートシンクは、片状体２で、その片状体２の両側には折辺２１が対応して形成され、平面２２上には１以上の開口２２１を穿設する。その開口２２１は、台形で、開口２２１の台形底辺には掛合部２２１１を形成し、別に掛合部２２１１両側には延長掛合片２２１２が形成され、その延長掛合片２２１２は台形で，延長掛合片２２１２上には掛合開口２２１３が穿設される。片状体２を互いに組み立てて重畳する時、片状体２の延長掛合片２２１２上の掛合開口２２１３に別の片状体２の対応する掛合部２２１１を掛合することにより、相互に位置決め固定する重畳組立効果を具える。この延長掛合片２２１２と掛合部２２１１は片状体平面２２で開口２２１を打ち抜いて形成し、その開口２２１の一側辺から折り返して形成した構造であるため、生産上材料を節約することができる。且つ延長掛合片２２１２と該掛合部２２１１は折辺２１に形成しないので、両者の組立を完成後、他の工程に運送もしくはその他の放熱部品と組み立てる場合、すべて既に掛合した両者に接触することがないため、安定した結合力を具える。本考案は、公知の放熱ヒートシンク掛合端と掛合部が組み立てた時、外力によって変形して組立が安定せずに外れたり、公知の放熱ヒートシンク生産上原材料を浪費したりする問題を確実に改善する。
【００１２】
図９は、本考案の実施例の構造応用指示図である。図に示すとおり、放熱ヒートシンクユニットＡは複数片の放熱ヒートシンク２を重畳して構成し、且つ各々相互に重畳した放熱ヒートシンク２の間に空間２３を具え、その空間２３には流動する気流３が通過して各放熱ヒートシンク２の放熱を行う。各放熱ヒートシンク２上に穿設した開口２２１によって流動する気流が入り、その開口２２１によって放熱ヒートシンクユニットＡの全体を貫くため、良好な放熱効果を得る。
【実施例２】
【００１３】
図１０、図１１は、本考案の別の実施例の立体図である。図に示すとおり、放熱ヒートシンク２上に穿設した開口２２１は半円形を形成し、その開口２２１内側に延びる延長掛合片２２１２もまた半円型を形成する(図１０参照)。また放熱ヒートシンク２に穿設する開口２２１は三角型を形成し、その開口２２１内側に延びる延長掛合片もまた三角型を形成する(図１１参照)。別に開口２２１は当然その他の幾何学図形で穿設してもよい。（例として多角形もしくは任意構造等）。
【００１４】
以上は、本考案の実施例であり、本考案を制限するものではない。そのため本考案の構想に依る変更は、本考案の精神範囲に含まれ、例として構造形状もしくは設置形態の変更、各種の変化、修飾や応用に依る同等の効果は、すべて本考案の範囲に属する。
【００１５】
上述のとおり、本考案の放熱ヒートシンクは使用により、確実にその効果を及び目的を達成する。故に本考案は実用性に優れた考案であり、ここに実用新案登録を申請する。
【図面の簡単な説明】
【００１６】
【図１】公知の放熱ヒートシンクユニット立体図である。
【図２】本考案の実施例の立体図である。
【図３】本考案の実施例の別一面から見た立体図である。
【図４】本考案の実施例の局部拡大図である。
【図５】本考案の実施例の立体分解図である。
【図６】本考案の実施例の立体組立図である。
【図７】本考案の実施例の組立指示図である。
【図８】本考案の実施例の組立局部拡大図である。
【図９】本考案の実施例の構造応用指示図である。
【図１０】本考案の別の一実施例立体図である。
【図１１】本考案の別の一実施例立体図である。
【符号の説明】
【００１７】
１        放熱ヒートシンクユニット
１１        放熱ヒートシンク
１１１        折辺
１１１２        掛合端
２        片状体
２１        折辺
２２        平面
２２１        開口
２２１１        掛合部
２２１２        延長掛合片
２２１３        掛合開口
３        流動する気流
【図１】
0003141216.tif 000003
【図２】
0003141216.tif 000004
【図３】
0003141216.tif 000005
【図４】
0003141216.tif 000006
【図５】
0003141216.tif 000007
【図６】
0003141216.tif 000008
【図７】
0003141216.tif 000009
【図８】
0003141216.tif 000010
【図９】
0003141216.tif 000011
【図１０】
0003141216.tif 000012
【図１１】
0003141216.tif 000013